(57)【特許請求の範囲】
【請求項１】
鋼板と、この鋼板の少なくとも一方の面上に形成され、下層が片面あたり３０ｍｇ／ｍ２以上の付着量を有する金属クロム層で、上層が片面あたり金属クロム換算で５〜３０ｍｇ／ｍ２の付着量を有する水和クロム酸化物層の電解クロメート処理層と、この電解クロメート処理層上に形成され、ポリエステル系樹脂と石炭酸及び／又はクレゾール系レゾール型フェノール樹脂を主成分とする第１の樹脂層と、この第１の樹脂層上に形成された熱可塑性の第２の樹脂フィルム層とを具備することを特徴とする加工密着性および耐食性に優れた２ピース缶用フィルムラミネート鋼板。
【請求項２】
前記第１の樹脂層の平均付着量が固形分濃度として５０〜１００００ｍｇ／ｍ2 であり、その樹脂組成物の主成分は数平均分子量３０００〜３００００、水酸基価５〜３０、酸価０〜５０、ガラス転移温度５〜１１０℃のポリエステル系樹脂６０〜９９重量部と石炭酸及び／又はクレゾール系レゾール型フェノール樹脂１〜４０重量部からなることを特徴とする請求項１に記載の加工密着性および耐食性に優れた２ピース缶用フィルムラミネート鋼板。
【請求項３】
前記熱可塑性の第２の樹脂フィルム層が厚み１０μｍ以上のポリエステル系樹脂フィルム層であることを特徴とする請求項１または２に記載の加工密着性および耐食性に優れた２ピース缶用フィルムラミネート鋼板。
【発明の詳細な説明】
【０００１】
【発明の属する技術分野】
本発明は、加工後の密着性および耐食性に優れたフィルムラミネート鋼板に関し、特に、フィルムラミネート後に厳しい加工を施される２ピース缶用フィルムラミネート鋼板に関する。
【０００２】
【従来の技術】
従来の製缶工程においては、ぶりき、電解クロメート処理鋼板（以下、ＴＦＳと称する）、アルミニウムなどの金属板に一回あるいは複数回の塗装を施し、その後製缶加工を行う場合と、製缶加工した後に塗装を行う場合がある。
【０００３】
また、近年、金属板に有機樹脂フィルムをラミネートする技術が開発され、実用化されている。特開昭５７−１８２４２８号公報，特公昭６１−３６７６号公報等には、金属板側をフィルムの融点以上に加熱し、熱融着によって接着する方法が開示されている。
【０００４】
フィルムラミネート後に施される加工としては種々の方法があるが、特に加工度の高いものとしては、金属板に絞り，しごき，引張り，曲げなどの加工を単独あるいは組み合わせ、必要に応じて繰り返し施すことにより、缶底部および缶銅部を一体成形する２ピース缶製造方法がある。
【０００５】
一方、近年、製缶メーカーでは材料節減の観点から缶体の薄肉化が進められており、そのために２ピース缶では製缶時の加工度の増大といった手段が講じられている。
【０００６】
ところで、フィルムラミネート後に施される厳しい加工は、下地表面処理鋼板のめっき皮膜の形態に大きな影響を与える。例えばＴＦＳの場合、ドロービード加工後の素材からフィルムを溶解除去してめっき皮膜を観察すると、金属クロム層および水和クロム酸化物層には多数の亀裂が生じ、金属クロムおよび鉄の新生面が現れることが判明した。すなわち、最表層の有機樹脂フィルムは大きな延性を有するため、かなり厳しい加工を施しても健全な外観を呈するが、有機樹脂フィルムや下地鋼板に比べて極めて薄い皮膜である電解クロメート皮膜は特に影響を受けやすく、下地鋼板が滑りを起こして界面に新生面を生じながら変形する際に、亀裂が生じるものと考えられる。
【０００７】
有機樹脂フィルムと下地表面処理鋼板の密着性は、有機樹脂フィルムと電解クロメート処理皮膜との界面の接着状態に依存するため、電解クロメート処理皮膜に亀裂が生じて健全な接着界面が減少することにより、加工した後の密着性（以下、加工密着性と称する）および耐食性は劣化する。
【０００８】
このように、材料節減を目的とした薄肉化を進めるために加工度を大きくすれば、加工密着性および耐食性等の性能の劣化が大きくなる。これは、前述の熱融着によるフィルム接着方法を用いた場合においても同様であり、加工密着性および加工耐食性の劣化が大きく実用には供し難い。
【０００９】
このような問題を解決するための技術として、エポキシ樹脂とその硬化剤を含む重合組成物等を予め塗布した有機樹脂フィルムを金属板にラミネートする方法が、特公昭６３−１３８２９号公報，特開平１−２４９３３１号公報，特公平４−７４１７６号公報，特公平５−７１０３５号公報，特開平２−７０４３０号公報等に開示されている。また、鋼板の片面または両面にエポキシ・フェノール系、エポキシ・ユリア系、ウレタン系等の接着用プライマーを塗布する方法が特開平４−３４４２３１号公報に開示されている。
【００１０】
これらの方法によれば加工密着性および耐食性はある程度改善されるが、内容物が酸性飲料等の腐食性飲料では塗装缶等には劣り耐食性の面からは十分だとはいえない。
【００１１】
また、製造工程で特に厳しい加工を施す場合にはより以上の加工密着性および耐食性が要求され、缶に外部から打痕等の衝撃が与えられた場合にはさらに性能劣化の程度が大きくなることから、これらの技術による加工密着性および耐食性の改善では不十分であり、一部の内容物では適用することができないという問題がある。
【００１２】
【本発明が解決しようとする課題】
本発明はかかる事情に鑑みてなされたものであって、フィルムラミネート後に厳しい加工を施される缶体の、加工密着性および耐食性の劣化を抑制し、あらゆる内容物に対して適用可能な、２ピース缶用フィルムラミネート鋼板を提供することを課題とする。
【００１３】
【課題を解決するための手段】
本発明者らは、上記課題を達成するために、ラミネートフィルムのような熱可塑性樹脂からなる従来の有機樹脂フィルムとの密着性が比較的良好な表面処理鋼板であるＴＦＳを下地として、かかる有機樹脂フィルムとＴＦＳとの接着界面における接着機構を詳細に検討した。本発明者らは、さらに、かかる従来の有機樹脂フィルムと接着した後に厳しい加工を受けた場合の接着界面を詳細に調査し、内容物充填後の内面の水性環境あるいはレトルト処理時の高温水蒸気環境において、加工密着性および耐食性が劣化する機構についても詳細に調査した。
【００１４】
そして、接着機構を調査した結果、樹脂フィルムとＴＦＳ界面との接着は水素結合が支配的因子になっていることが判明した。その接着力は水素結合によるものであるため共有結合によるもの等に比べてあまり高くない。
【００１５】
密着性が不十分な場合、高加工により樹脂フィルムにずれが生じ、フィルムが破断を起こす場合もあり、金属部分が露出すると耐食性が劣化する。
【００１６】
また、加工密着性および耐食性が劣化する機構を調査した結果、フィルムラミネート後に施される厳しい加工は、下地表面処理鋼板のめっき皮膜の形態に大きな影響を与えることも判明した。例えばＴＦＳの場合、金属クロム層および水和クロム酸化物層には頻繁に亀裂が生じ、金属クロムおよび鉄の新生面が現れていたことがわかった。すなわち、最表層の有機樹脂フィルムは大きな延性を有するため、かなり厳しい加工を施しても健全な外観を呈するが、有機樹脂フィルムや下地鋼板に比べて極薄い皮膜である電解クロメート処理皮膜は特に影響を受けやすく、下地鋼板が滑りを起こして界面に新生面を生じながら変形する際に、亀裂が生じるものと考えられる。
【００１７】
有機樹脂フィルムと下地表面処理鋼板の密着性は、有機樹脂フィルムと電解クロメート処理皮膜との界面の接着状態に依存するため、電解クロメート処理皮膜に亀裂が生じて健全な接着界面が減少することにより、加工した後の密着性は劣化する。また、その密着性の劣化は、フィルムが破断を起こす場合もあり、耐食性をも劣化させる。
【００１８】
また、内容物充填後の内面の水性環境あるいはレトルト処理時の高温水蒸気環境においては、樹脂フィルムを透過した水分子がフィルム／ＴＦＳ界面を攻撃するため、密着性の劣るものは、その劣化をより促進させられる。
【００１９】
以上に加工密着性および耐食性が劣化する機構について説明したが、かかる知見に基づき、本発明者らは、この劣化を抑制するために従来材にない有機樹脂層の導入を見出した。すなわち、従来の樹脂フィルムとＴＦＳとの界面に、界面における密着性を向上させ、かつ、高加工により破断することなく、金属の露出および金属イオンの溶出を防ぐ有機樹脂層（以下、第１の樹脂層とも称する。）を介挿することである。
【００２０】
この第１の樹脂層の介挿により従来の最表層の樹脂フィルム（以下、第２の樹脂フィルム層とも称する。）とＴＦＳとの両界面における密着性を向上させるには、ＴＦＳおよび第２の樹脂フィルム層それぞれに対して、この第１の樹脂層の密着性が優れ、かつ、材料自体が凝集破壊を起こさないことが必要である。
【００２１】
凝集破壊を起こさないためには、第１の樹脂層を形成する有機物成分がある程度の高分子量体であることが好ましい。また、ＴＦＳとの密着性に優れるには、ＴＦＳとの水素結合を向上させること、あるいは共有結合、配位結合を起こさせることが好ましいと考えられる。水素結合を向上させるためには水酸基、カルボキシルキ等の極性基の導入が好ましく、また、配位結合を形成するためにも水酸基、カルボキシル基等を導入することが好ましい。
【００２２】
また、第２の樹脂フィルム層との密着性を高めるためには、樹脂フィルムとの相溶性を高めることにより二次結合力を向上させることが好ましいと考えられる。例えば第２の樹脂フィルム層がポリエステル系樹脂の場合には、第１の樹脂層を形成する有機物成分に芳香環等を導入することにより溶解パラメータをポリエステル系樹脂に近づけることが有効である。
【００２３】
この第１の樹脂層が高加工により破断しないで金属の露出を防ぐためには、高加工の際の伸びに耐え、電解クロメート処理皮膜の上を覆っている必要があり、そのためには第１の樹脂層を形成している有機物が高分子量体で、かつフレキシブルな骨格を有することを必要とする。また、覆うだけでなく、その材料自体も耐食性を有することが必要であり、そのためには、有機物が例えば芳香環等の剛直な骨格を有することが必要となる。
【００２４】
また、金属イオンの溶出を防止するためには、金属イオンとの間で配位結合を形成する可能性の有る水酸基、カルボキシル基等の導入が望ましい。
【００２５】
これらのことをまとめると、第１の樹脂層を形成する有機物としては剛直な構造（例えば芳香環）とフレキシブルな構造とのバランスが必要となり、また水酸基、カルボキシル基等の極性基の導入が必要となる。
【００２６】
このような知見に基づき、本発明者らは、従来のラミネート時のフィルムあるいは鋼板への有機溶媒系接着剤塗布といった方法とは全く関係なく、ＴＦＳの水和クロム酸化物層にある特定の水系有機物あるいは有機溶媒系有機物、環境問題の観点からは好ましくは水系有機物を塗布することにより、フィルムラミネート後の鋼板に厳しい加工を施した後の加工密着性および耐食性が著しく改善されることを見出した。
【００２７】
すなわち、本発明は、鋼板と、この鋼板の少なくとも一方の面上に形成され、下層が片面あたり３０ｍｇ／ｍ２以上の付着量を有する金属クロム層で、上層が片面あたり金属クロム換算で５〜３０ｍｇ／ｍ２の付着量を有する水和クロム酸化物層の電解クロメート処理層と、この電解クロメート処理層上に形成され、ポリエステル系樹脂と石炭酸及び／又はクレゾール系レゾール型フェノール樹脂を主成分とする第１の樹脂層と、この第１の樹脂層上に形成された熱可塑性の第２の樹脂フィルム層とを具備することを特徴とする加工密着性および耐食性に優れた２ピース缶用フィルムラミネート鋼板を提供する。
【００２８】
なお、本発明においては、前記第１の樹脂層の平均付着量が固形分濃度として５０〜１００００ｍｇ／ｍ2 であり、その樹脂組成物の主成分は数平均分子量３０００〜３００００、水酸基価５〜３０、酸価０〜５０、ガラス転移温度５〜１１０℃のポリエステル系樹脂６０〜９９重量部と石炭酸及び／又はクレゾール系レゾール型フェノール樹脂１〜４０重量部からなることが好ましい。
【００２９】
また、本発明においては、前記熱可塑性の第２の樹脂フィルム層は、厚さ１０μｍ以上のポリエステル系樹脂フィルム層であることが好ましい。
【００３０】
このような構成を有する本発明によれば、省資源の観点から進められている缶体の薄肉化に伴う加工度の増大による加工密着性および耐食性の劣化を抑制し、高温水蒸気環境であるレトルト処理等が必要な内容物にも適用可能な２ピース缶用フィルムラミネート鋼板をコストの増大を伴うことなく提供することができる。
【００３１】
【発明の実施の形態】
以下、本発明について詳細に説明する。
【００３２】
本発明に係る２ピース缶用フィルムラミネート鋼板は、下地鋼板の少なくとも一方の面上に形成され、下層が片面あたり３０ｍｇ／ｍ２以上の付着量を有する金属クロム層で、上層が片面あたり金属クロム換算で５〜３０ｍｇ／ｍ２の付着量を有する水和クロム酸化物層の電解クロメート処理層と、この電解クロメート処理層上に形成され、ポリエステル系樹脂と石炭酸及び／又はクレゾール系レゾール型フェノール樹脂を主成分とする第１の樹脂層と、この第１の樹脂層上に形成された熱可塑性の第２の樹脂フィルム層とを具備する。
【００３３】
本発明において、下地鋼板は特に限定されるものではなく、通常この種の表面処理鋼板に用いられる鋼板であれば使用することができる。例えば、板厚０．１〜０．３ｍｍの通常の低炭素冷延鋼板、低炭素Ａｌキルド鋼板等が用いられる。
【００３４】
このような下地鋼板の少なくとも一方の面に、直接またはクロムめっき後に表面処理皮膜として、下層が金属クロム層、上層が水和クロム酸化物層からなる二層の電解クロメート処理皮膜が形成される。この際の電解クロメート処理方法としては通常用いられる公知の方法を採用することができ、金属クロムと水和クロム酸化物とを同時に析出させる一液法、および金属クロム層形成後に水和クロム酸化物を析出させる二液法のいずれでもよい。
【００３５】
ここで下層の金属クロム付着量は、好ましくは片面あたり３０ｍｇ／ｍ2 以上であるが、より好ましくは３０〜３００ｍｇ／ｍ2 である。その付着量が３０ｍｇ／ｍ2 未満の場合には耐食性に問題を生じる。３００ｍｇ／ｍ2 を超えても性能上全く劣ることはないが、経済的観点から好ましくない。いずれにしても、通常の電解クロメート処理鋼板に用いられる量であれば問題ない。
【００３６】
上層の水和クロム酸化物の付着量は、好ましくは片面あたり金属クロム換算で５〜３０ｍｇ／ｍ2 である。その付着量が５ｍｇ／ｍ2 未満では金属クロム層が水和クロム酸化物によって均一に覆われず金属層の露出面積が大となり、耐食性および耐経時劣化性、加工密着性が劣るため好ましくない。また、３０ｍｇ／ｍ2 を超えると水和クロム酸化物層が厚すぎることによって生じる外観の劣化および密着性の劣化を引き起こし好ましくない。
【００３７】
電解クロメート処理皮膜の上には、ポリエステル系樹脂と石炭酸及び／又はクレゾール系レゾール型フェノール樹脂を含む樹脂組成物からなる第１の樹脂層が形成される。これらの樹脂組成物は有機溶媒系、水系どちらの形態でも得られるが、どちらの形態でも本発明に用いることができる。
【００３８】
ポリエステル系樹脂としては、コハク酸、マレイン酸、フマル酸、フタル酸、テレフタル酸、イソフタル酸、ナフタレンジカルボン酸、アジピン酸、セバシン酸、コハク酸、アゼライン酸、１，４−シクロヘキサンジカルボン酸、１，３−シクロヘキサンジカルボン酸等の二塩基酸、トリメリット酸、ピロメリット酸等の多塩基酸と、エチレングリコール、１，２−プロピレングリコール、１，３−プロパンジオール、１，４−ブタンジオール、１，５−ペンタンジオール、ネオペンチルグリコール、１，４−シクロヘキサンジメタノール、ジエチレングリコール、トリエチレングリコール、ポリエチレングリコール等のジオール、グリセリン、ペンタエリスリトール等の多価アルコールとを、無触媒またはジブチル錫オキサイド、チタンテトラブトキシド等の触媒で縮合させ直鎖状、および／または分岐状のものを使用することができる。生成する樹脂の分子量を制御する目的で酢酸、安息香酸、４，４−ビス（４′−ヒドロキシフェニル）ペンタノイックアシッド等の一塩基酸、セチルアルコール、デシルアルコール、ラウリルアルコール等の一価アルコールを適宜使用することもできる。また、材料の融点を下げて円滑な縮合反応を進めさせるために、イソフタル酸、テレフタル酸等はジメチルエステル、ジエチルエステル等のエステル体として使用することもできる。
【００３９】
このようにして得られたポリエステル系樹脂をトルエン、キシレン等の芳香族系溶剤、メタノール、エタノール、イソプロパノール、ｎ−ブタノール等のアルコール系溶剤、アセトン、メチルエチルケトン、メチルイソブチルケトン、イソホロン、シクロヘキサノン等のケトン系溶剤、メチルセロソルブ、エチルセロソルブ、ブチルセロソルブ等のエーテルアルコール系溶剤、メチルセロソルブアセテート、エチルセロソルブアセテート、ブチルセロソルブアセテート等のエーテルエステル系溶剤等の公知の有機溶剤に溶解して使用する。別の実施態様として、少量の水親和性の有機溶剤に溶解したポリエステル系樹脂に、加圧下でアンモニア、トリエチルアミン、ジメチルエタノールアミン等のアミンを含む４０〜８０℃の温水中に滴下して水分散体としたものも使用できる。水親和性の有機溶剤としてはメタノール、エタノール、イソプロパノール、ｎ−ブタノール等のアルコール系溶剤、アセトン、メチルエチルケトン等のケトン系溶剤、メチルセロソルブ、エチルセロソルブ、ブチルセロソルブ等のエーテルアルコール系溶剤を挙げることができる。
【００４０】
本発明の第１の樹脂層は上述のポリエステル系樹脂と石炭酸及び／又はクレゾール系レゾール型フェノール樹脂を主成分とする樹脂組成物により形成される。
【００４１】
石炭酸及び／又はクレゾール系レゾール型フェノール樹脂としては、石炭酸、ｏ−クレゾール、ｍ−クレゾール、ｐ−クレゾール又はこれらの混合物をアンモニア、トリエチルアミン、苛性ソーダ、苛性カリ等のアルカリを触媒として縮合させたもの、又はこれをメタノール、エタノール、ｎ−ブタノール等のアルコールでアルキルエーテル化したものを使用することができる。
【００４２】
かかる石炭酸及び／又はクレゾール系レゾール型フェノール樹脂はそのままポリエステル系樹脂に混合させるだけでも良いが、あらかじめ石炭酸及び／又はクレゾール系レゾール型フェノール樹脂をゲル化しない程度に反応させたものを用いても良い。
【００４３】
なお、このポリエステル系樹脂と石炭酸及び／又はクレゾール系レゾール型フェノール樹脂を含む樹脂組成物に、必要に応じてさらにメラミン樹脂、尿素樹脂等のアミノ樹脂、ブロックウレタン樹脂等の硬化物、エポキシ樹脂、ウレタン樹脂、他のポリエステル樹脂、ノボラック型フェノール樹脂等を配合することもできる。さらに、必要に応じて耐食性を上げるために、ストロンチウムクロメート、カルシウムクロメート、ジンククロメート、カルシウムシリケート、トリポリリン酸アルミ等の防錆剤を配合することもできる。
【００４４】
このようにして得られるポリエステル系樹脂と石炭酸及び／又はクレゾール系レゾール型フェノール樹脂を主成分とする樹脂組成物が第１の樹脂層として上述の電解クロメート処理皮膜上に形成される。その形成方法としては、鋼板にあらかじめ第１の樹脂層を形成させる方法あるいは熱可塑性の第２の樹脂フィルム層の鋼板側面にあらかじめ第１の樹脂層を形成させておく方法があるが、どちらの方法も使用することができる。
【００４５】
また、その塗布方法としては、いずれの場合においても通常用いられる公知の方法を採用することができ、例えばロールコート方式、カーテンフロー方式、ダイコーター方式、浸漬方式、スプレーコート方式、カーテンフローコート方式、しごき塗装方式、ブレードコーター塗装方式、ロッドコーター塗装方式、エアードクターコーター塗装方式、キスコーター塗装方式等を挙げることができる。
【００４６】
乾燥方法としては、鋼板に塗装した場合はジャケットロール方式、乾燥炉を使用する方式のどちらでも構わず、公知の方法により行うことができ、乾燥炉は例えば熱風炉、赤外線炉、誘導加熱炉等を使用することができる。乾燥温度は鋼板に塗装した場合は１００〜２７０℃、熱可塑性樹脂フィルムに塗装した場合は５０〜１１０℃の樹脂フィルムの耐熱温度以下で行うことが望ましい。乾燥温度はいずれの場合も２秒〜２分が望ましい。
【００４７】
この第１の樹脂層の好ましい付着量は、固形分濃度として５０〜１００００ｍｇ／ｍ2 であり、その樹脂組成物の好ましい組成はポリエステル系樹脂６０〜９９部と石炭酸及び／又はクレゾール系レゾール型フェノール樹脂１〜４０部からなるものである。
【００４８】
その付着量が固形分濃度として５０ｍｇ／ｍ2 未満の場合には充分な被覆度が得られないため耐食性が低下し、１００００ｍｇ／ｍ2 を超えると第１の樹脂層内部で凝集破壊を引き起こし易くなり、その結果、加工性および耐食性が低下する傾向にある。
【００４９】
また、ポリエステル系樹脂が６０重量部未満では加工密着性、耐食性が低下し、９９重量部を超えると耐食性が低下する。
【００５０】
本発明においては、その樹脂組成物中のポリエステル系樹脂は好ましくは、数平均分子量３０００〜３００００（ＧＰＣによる）、水酸基価５〜３０、酸価０〜５０、ガラス転移温度５〜１１０℃である。
【００５１】
溶剤型、水性いずれのポリエステル系樹脂においても、数平均分子量は３０００〜３００００が望ましい。数平均分子量が３０００未満になると加工性、密着性が低下し、３００００を超えると塗装粘度を維持するために固形分が低下し、密着性等の向上もない。
【００５２】
水酸基価は５〜３０が望ましい。水酸基価が５未満である架橋密度が不足し、強度の加工に耐えることができず、加工性、密着性が低下する。また水酸基価が３０を超えると耐食性が低下する。
【００５３】
ガラス転移温度は５〜１１０℃が望ましい。ガラス転移温度が５℃未満では耐食性が低下し、１１０℃を超えると加工性、密着性が低下する。
【００５４】
酸価は溶剤型と水性では望ましい範囲が異なる。溶剤型の場合は５０以下が望ましい。５０を超えると耐食性が低下する。水性では５〜５０が望ましい。５未満では水分散性が不足し、５０を超えると耐食性が低下する。
【００５５】
本発明のラミネート鋼板では、耐食性等の観点から前記第１の樹脂層の上に熱可塑性の第２の樹脂フィルム層がラミネートされる。熱可塑性樹脂フィルムとしては、ポリエチレンテレフタレート、ポリエチレンナフタレート、ポリブチレンナフタレート、エチレンテレフタレート／イソフタレート共重合体等のポリエステル系あるいはポリプロピレン、ポリエチレン等のポリオレフィン系、ナイロン６、ナイロン６６等のポリアミド系等、通常用いられるいずれの有機樹脂フィルムも用いることができるが、加工密着性、耐食性等の観点からはポリエステル系樹脂フィルムが好ましい。
【００５６】
さらに、熱可塑性の第２の樹脂フィルム層の厚さは、１０μｍ以上であることが好ましい。厚さが１０μｍ未満になると、耐傷つき性に劣ることおよびフィルム製造の際ピンホール等を生じやすくなりその結果耐食性に劣る結果となるからである。
【００５７】
熱可塑性樹脂をフィルムにするためには、押出溶融した樹脂をＴダイ方式でフィルム化する一般的な方法を使用することができる。また、そのフィルムはそのままの無延伸の状態あるいは二軸延伸等の延伸処理を行った状態のどちらで使用しても構わない。
【００５８】
また、熱可塑性の第２の樹脂フィルムをラミネートする方法については、あらかじめフィルムを作製しておいてラミネートする方法とＴダイ方式で押出溶融した樹脂をそのままラミネートする方法等があるが、いずれの方法を用いてラミネートしても構わない。
【００５９】
熱可塑性の第２の樹脂フィルムが熱溶着によりラミネートされる場合、鋼板を第２の樹脂フィルムの融点以上に加熱しロールを使用してフィルムを圧着する方法が一般的である。そのラミネート技術は数多く公開されている公知の方法により行うことができる。例えば金属板に有機樹脂フィルムをラミネートする技術として、特開昭５７−１８２４２８号公報、特公昭６１−３６７６号公報等には、金属板側をフィルムの融点以上に加熱し、熱融着によって接着する方法が開示されている。
【００６０】
【実施例】
次に、本発明の具体的な実施例について説明する。
【００６１】
［供試材］
（１）表面処理鋼板
全ての実施例および比較例は、低炭素Ａｌキルド連鋳鋼で、厚さ０．２０ｍｍのＴ4 ＣＡ材を原板鋼帯とし、これに後述する表面処理を施して製造した。
【００６２】
（２）塗布用有機材（第１の樹脂フィルム材）
有機物種別Ａ：
ジカルボン酸成分としてテレフタル酸４７ｍｏｌ％、イソフタル酸４８ｍｏｌ％、フマル酸５ｍｏｌ％、ジオール成分として１，４−ブタンジオール５０ｍｏｌ％、エチレングリコール５０ｍｏｌ％の組成比の共重合ポリエステル樹脂を合成した。その共重合ポリエステル樹脂３００重量部、メチルエチルケトン７００重量部を混ぜ、数平均分子量１８０００（ＧＰＣによる）、水酸基価１０、酸価５、ガラス転移温度６８℃のポリエステル系樹脂を得た。
【００６３】
つぎに上記、ポリエステル樹脂系樹脂９５重量部と熱硬化型石炭酸・ホルムアルデヒド樹脂をメチルエチルケトン中に溶解させた石炭酸系レゾール型フェノール樹脂（粘度５０００ｃＰ，ゲル化時間１６０ｓｅｃ［１５０℃］，不揮発分５１％［１０５℃／３ｈ］，褐色液状体）５重量部を混合し、樹脂組成物とした（有機物種別Ａ）。
【００６４】
有機物種別Ｂ〜Ｓ、ＲＡ〜ＲＪ：
同様にモノマーあるいは製法（溶剤型、水性）を変えて合成したポリエステル系樹脂の数平均分子量、水酸基価、酸価、ガラス転移温度および石炭酸及び／又はクレゾール系レゾール型フェノール樹脂の組成あるいはそれらの材料からなる第１の樹脂層として用いられる樹脂組成物（有機物種別Ｂ〜Ｓ、ＲＡ〜ＲＪ）の組成比を表４、表５にまとめて記す。
【００６５】
有機物種別Ｚ：
数平均分子量約７０００のビスフェノールタイプの有機溶媒系エポキシ樹脂８０重量部と石炭酸・ホルムアルデヒド樹脂より合成した有機溶媒系石炭酸系レゾール型フェノール樹脂（粘度６０００ｃＰ，ゲル化時間１４０ｓｅｃ［１５０℃］，不揮発分５２％［１０５℃／３ｈ］，褐色液状体）２０重量部を混合し、樹脂組成物とした（有機物種別Ｚ）。その数平均分子量は２００００，水酸基価は１０、酸価は１５であった。
【００６６】
（３）フィルムラミネート
実施例、比較例に記載された表面処理鋼板を２００×３００ｍｍの切板にし、その両面に次に示す条件で市販のポリエステルフィルムを第２の樹脂フィルム層としてラミネートした。
【００６７】
フィルム：二軸配向ポリエステルフィルム（ポリエチレングリコールとテレフタル酸／イソフタル酸の共重合体）
フィルム厚さ      ：２５μｍ
フイルムの結晶融解温度  ：２２９℃
ラミネート直前の鋼板温度：２３５℃
ラミネート速度      ：２ｍ／秒
ラミネート後の冷却    ：水冷（急冷）
［２］評価
（１）絞り加工性
・密着性評価
ラミネート板を直径１５８ｍｍの円板に打抜き、絞り比２．９２で円筒状カップに絞り加工を施した後、カップ内面のフイルムの剥離状況をルーペで観察した。その際、剥離なしの良好な状態を５点とし、４点、３点、２点、１点と小さくなるにつれて剥離の程度が大きくなるように５段階に分けて評価した。
【００６８】
・耐食性評価
また、絞り加工したカップを、０．４％クエン酸水溶液中に５０℃、１４日間浸漬し、水洗、乾燥後、同様にカップ内面の剥離程度を同基準で５段階評価した。
【００６９】
（２）曲げ曲げ戻し加工
・密着性評価
フィルムラミネート板を３０×３０ｍｍのたんざく状に切り出し、先端Ｒが０．２５ｍｍの工具を用い、押さえ圧３００ｋｇｆでドロービードテストを行い、サンプル表面をルーペで観察した。その際、絞り加工性評価と同様に剥離の程度を５段階で評価した。
【００７０】
・耐食性評価
また、曲げ曲げ戻し加工したフイルムラミネート板を、０．４％クエン酸水溶液中に５０℃、１４日間浸漬し、水洗、乾燥後、同様にカップ内面の剥離程度を同基準で５段階評価した。
【００７１】
（３）リパックテスト
・密着性評価
フィルムラミネート板を直径１１０ｍｍの円板に打抜き、まず最初に絞り比１．５１で円筒状カップ絞り加工を施し、次いで絞り比１．２０で再絞り加工を施して、円筒状カップ（全絞り比１．８１）を作成した。このカップの内面のフイルムの剥離状況をルーペで観察し、絞り加工性評価と同じ基準で剥離程度を５段階評価した。
【００７２】
・耐食性評価
さらに、本カップ中に０．４％クエン酸をリパックし、カップの中央部に直径１／２インチ、１ｋｇの鋼球を高さ１００ｍｍより落下させた後、３８℃で３カ月間の貯蔵を行い、この貯蔵テスト後のカップ内面のフィルムと金属板の剥離状況をルーペで観察し、上と同じ基準で５段階評価した。
【００７３】
加工性の評価は、絞り加工、曲げ曲げ戻し加工、リパックテストによる加工性を外観の良否等により目視で判断し、いずれも良好なものを○とし、それ以外をラと評価した。
【００７４】
また、密着性の評価は絞り加工、曲げ曲げ戻し加工、リパックテストによる加工後のルーペ観察による剥離状況の５段階評価が、いずれも５、４の良好なものを○と、３の普通のものを△、それ以外を×と評価した。
【００７５】
また、耐食性の評価は絞り加工、曲げ曲げ戻し加工、リパックテストによる加工後の耐食性評価の５段階評価が、いずれも５、４の良好なものを○と、３の普通のものを△、それ以外を×と評価した。
【００７６】
表１ないし表３に示す実施例１〜５０および比較例１〜７についてこれらの評価を行った。その結果を表１ないし表３に示す。
【００７７】
【表１】
0003926052.tif 000002
【００７８】
【表２】
0003926052.tif 000003
【００７９】
【表３】
0003926052.tif 000004
【００８０】
【表４】
0003926052.tif 000005
【００８１】
【表５】
0003926052.tif 000006
【００８２】
（実施例１）
前記表面処理原板に、表１に示すように、金属Ｃｒ付着量１２６ｍｇ／ｍ2 、金属クロム換算での水和クロム酸化物付着量１６ｍｇ／ｍ2 となるような電解クロメート処理を施した後、前記ポリエステル系樹脂と石炭酸系レゾール型フェノール樹脂からなる樹脂組成物（有機物種別Ａ）をリバースロールコーターで塗布し、乾燥することによって付着量９６０ｍｇ／ｍ2 の有機物層を形成した。その表面処理鋼板に対し先に示す条件下で、ポリエステルフィルムをラミネートし、その後、絞り加工、曲げ曲げ戻し加工、リパックテストにより、加工性、密着性、耐食性を評価した。これらの評価結果を、表１に併せて示す。
【００８３】
その結果本表面処理鋼板は、フィルムラミネート後の加工性が優れているばかりでなく、加工後の密着性、処理後の耐食性にも優れている。
【００８４】
（実施例２〜７、比較例１〜３）
これらにおいては、表１、表３に示すように、電解クロメート処理条件を種々に変え、
それ以外は実施例１と同様の操作を行って表面処理鋼板を得た。これらの評価結果を表１、表３に併記する。
【００８５】
表１、表３から明らかなように、下層の金属クロム付着量が、片面あたり３０ｍｇ／ｍ2 以上、上層の水和クロム酸化物の付着量が５〜３０ｍｇ／ｍ2 の実施例２〜７はいずれも加工性、密着性、耐食性とも優れていた。
【００８６】
これに対し、下層の金属クロム付着量が３０ｍｇ／ｍ2 未満の比較例１は、耐食性に劣っていた。また上層の水和クロム酸化物の付着量が、５ｍｇ／ｍ2 未満の比較例２は、密着性および耐食性が劣っていた。さらに、上層クロム水和酸化物の付着量が３０ｍｇ／ｍ2 を超えた比較例３は外観が劣化し密着性および耐食性が劣っていた。
【００８７】
（実施例８〜１１、３５、３６）
これらにおいては、ポリエステル系樹脂と石炭酸系レゾール型フェノール樹脂からなる樹脂組成物（有機物種別Ａ）の付着量を種々に変化させ、それ以外は実施例１と同様の操作を行って表面処理鋼板を得た。これらの評価結果を表１、表２に併記する。
【００８８】
表１、表２から明らかなように、いずれも、加工性、密着性、耐食性において良好な評価を得た。特に付着量が５０〜１００００ｍｇ／ｍ2 の実施例８〜１１は、いずれも、加工性、密着性、耐食性が特に優れていた。
【００８９】
（実施例１２〜１８、３７、３８）
ここにおいては、表４、表５に示すように、第１の樹脂層を構成するポリエステル系樹脂と石炭酸及び／又はクレゾール系レゾール型フェノール樹脂からなる樹脂組成物の組成あるいは組成比を変化させ、それ以外は実施例１と同様の操作を行って表面処理鋼板を得た。これらの評価結果を表１に併記する。
【００９０】
表１、表２から明らかなように、実施例１２〜１８は、加工性、密着性、耐食性が特に優れていた。
【００９１】
（実施例１９〜２９、３９〜４６）
ここにおいては、表４、表５に示すように、第１の樹脂層を構成するポリエステル系樹脂の数平均分子量、水酸基、酸価、ガラス転移温度を変化させ、それ以外は実施例１と同様の操作を行って表面処理鋼板を得た。これらの評価結果を表１、表２に併記する。
【００９２】
表１、表２から明らかなように、実施例１９〜２９は、加工性、密着性、耐食性が特に優れていた。
【００９３】
（比較例４〜６）
比較例４では、従来の技術である第１の層を形成しないこと以外は実施例１と同様の操作を行って表面処理鋼板を得た。また、比較例５では共重合ポリエステル樹脂のみを有機物層（有機物種別Ｙ）として用いた以外は実施例１と同様の操作を行って表面処理鋼板を得た。また、比較例６では有機物層としてエポキシフェノール樹脂（有機物種別Ｚ）を用いた以外は実施例１と同様の操作を行って表面処理鋼板を得た。
【００９４】
これらの評価結果を表３に併記する。
【００９５】
表３から明らかなように、いずれも耐食性が劣っていた。
【００９６】
（実施例３０〜３２、４７、比較例７）
ここにおいては、第２の樹脂フィルム層の厚さを１０μｍ（実施例３０）、５０μｍ（実施例３１）、８０μｍ（実施例３２）、８μｍ（実施例４７）と変化させ、それ以外は実施例１と同様の操作を行って表面処理鋼板を得た。また、比較例７では第２の樹脂フィルム層を形成しないこと以外は実施例１と同様の操作を行って表面処理鋼板を得た。これらの評価結果を表２、表３に併記する。
【００９７】
表２、表３から明らかなように、実施例３０〜３２は、加工性、密着性、耐食性が特に優れていた。またフィルムの無い比較例７は耐食性が劣っていた。
【００９８】
（実施例３３、３４、４８〜５０）
ここにおいては、第２の樹脂フィルム層を共重合ポリエステルからホモＰＥＴに変化させ、それ以外は実施例１と同様の操作を行って表面処理鋼板を得た（実施例３３）。
【００９９】
また、ここにおいては、Ｔダイ方式で押出溶融した実施例１と同様の共重合ポリエステル樹脂をそのままラミネートして２５μのフィルム層を形成した。それ以外は実施例１と同様の操作を行って表面処理鋼板を得た（実施例３４）。また実施例４８〜５０では第２の樹脂フィルム層を厚さ２５μｍのポリプロピレン層（実施例４８）、ポリエチレン層（実施例４９）、ナイロン６層（実施例５０）に変えた以外は実施例１と同様の操作を行って表面処理鋼板を得た。これらの評価結果を表２、表３に併記する。
【０１００】
表２、表３から明らかなように、実施例３３、３４は、加工性、密着性、耐食性が特に優れていた。
【０１０１】
【発明の効果】
以上説明したように、本発明によれば、フィルムラミネート後に厳しい加工を施された際にも加工密着性および耐食性に優れ、缶体の薄肉化に伴う加工度の増大に対応することができるものであって、レトルト処理を必要とするような内容物等あらゆる内容物に適用可能な２ピース缶用フィルムラミネート鋼板が提供される。このように本発明では、繁雑な工程を経ることなく、優れた加工密着性および加工耐食性が得られるので、その経済的価値は極めて高い。